(57)【要約】【課題】部品点数を削減しつつ化粧パネルの強度を維持し、破損防止性を高めるとともに、コイン受け皿の照射も可能とした遊技機を提供する。【解決手段】スロットマシン１０は、本体筐体１２と、前面扉体１４と、からなる。この前面扉体１４は、その下部に設けられた前面部が開口された筐体状の光源収納部と、その光源収納部に設置された蛍光灯８４と、その光源収納部の凹部に設置され、且つ、蛍光灯８４から発せられる光が透過されることにより本体筐体１２の装飾をなし、光源収納部の開口部に嵌設され、かつ、蛍光灯８４から発せられる光が透過されることにより前面扉体１４の下部に設置されたメダル排出口１５近傍を照らすための化粧パネル７１とを備えている。そして、この化粧パネル７１は、一体的に縦断面Ｌ字状を含む部材からなる。【選択図】　　図５
2004024448.tif 000002
【特許請求の範囲】
【請求項１】
筐体と、
前記筐体の前面開口部に開閉自在に設けられた扉体と、からなり、
前記扉体は、
前記扉体下部に設けられた、前面部が開口された筐体状の光源設置部と、
前期光源設置部に設置された光源と、
前記光源設置部の開口部に設置され、且つ、前記光源から発せられる光が透過されることにより前記筐体の装飾をなす化粧パネルと、
前記光源設置部の開口部に嵌設され、且つ、前記光源から発せられる光が透過されることにより前記扉体開口部の下部に設置されたコイン受け皿を照らすための透光パネルと、を備える遊技機であって、
前記化粧パネルと前記透光パネルとは、一体的に形成された断面Ｌ字状の１個の部材からなることを特徴とする遊技機。
【発明の詳細な説明】
【０００１】
【発明の属する技術分野】
本発明は、遊技機に関するものである。
【０００２】
【従来の技術】
遊技者がコインを投入し、複数の識別情報画像の描かれた複数の回転リールを回転させ、その後各リールを停止させたときに、当該識別情報画像が所定の配置で停止した場合には遊技者に対して所定の利益還元がなされるという、遊技機が流行している。
【０００３】
これらの遊技機の基本構造は、遊技者に面する遊技機正面の略中央部に、遊技機内部に設置された複数の回転リールを視認可能とするリール窓を有し、当該リール窓の直下にコイン投入口や各種スイッチが設置されている。また、当該遊技機正面の最下部には当該遊技機から排出されるコインを受けるコイン受け皿が設けられている。そして、各種スイッチ等の設置部分と、当該コイン受け皿との間には、化粧パネルが設けられている。
【０００４】
この化粧パネルは、当該パネル上に描かれた文字や模様により他の遊技機との差別化を図ることで、遊技者に対して当該遊技機の種類を特定させるためのものであり、その構造は、比較的照明の暗い遊技場であっても充分に視認可能とするように、透光性のパネルを用い、その背後に設けられた光源に照らされることによって、当該パネル上のデザインを明るく表示されるように構成されているのである。
【０００５】
また、コイン受け皿の設置箇所は、その設置箇所の構造により、遊技者や、当該コイン受け皿の上部に迫り出している化粧パネル部の影により光が当たり難い位置となっている。この問題点を解消するためには、導光性のアクリル板などを、遊技機内部の化粧パネル用光源に面する位置から当該コイン受け皿に面する位置まで延在させることで当該光源の光を到達させる方法や、当該光源と当該コイン受け皿との間に透過性のパネルを設置することにより当該光源の光を直接照射する方法等が考えられている。
【０００６】
一方、近年、遊技機の廃棄によるゴミの問題から各メーカともリサイクル対策を講じるべく思考錯誤が行われている。遊技機でも特にスロットマシンにおいては、液晶や電飾などの様々な機能部材を使用することによって、メーカごとのスロットマシンの差別化を行うために、筐体自体のタイプが同じであっても、照明の色や、スピーカ或いは液晶画面のあるなしなど、多種少量生産を可能とするような生産体制の確立も望まれている。
【０００７】
同時に、遊技機を構成する部品を削減することも、再利用できない部分の廃棄される量の削減や、再利用時の解体及び組み付けにおける利便性から、考慮されている。
【０００８】
【発明が解決しようとする課題】
しかし、遊技機には、上述した如き構造のために化粧パネルの背後に光源が設置された中空部を有すこととなるので、当該化粧パネルはその外周部においてのみ支持されていた。そのため、当該遊技機を搬出入する際に当該化粧パネルに外圧がかかった場合や、遊技者が遊技に熱中するあまり当該化粧パネルを殴打又は押圧してしまった場合には、当該外周部における支持のみでは当該外圧等の圧力を受け止めることができず、当該化粧パネルが破損してしまうおそれがあった。
【０００９】
このような問題に対し、当該中空部に複数のリブを設けることで、当該化粧パネルを背後から支持するような工夫も考えられた。
【００１０】
しかしながら、当該中空部には光源が設置されているために、当該中空部の中心付近にはリブを設置することはできず、また、化粧パネル全面に光を照射する必要から、あまり大きなリブを設けることができず、パネル外周部以外の支持としては、光源の周囲に設けた複数のリブが化粧パネルの背後から点接触をすることで支持しているに過ぎなかった。
【００１１】
そのため、当該化粧パネルに外圧がかかった場合には、各リブと接触する点で圧力を受けることとなり、当該化粧パネルの強度を維持するには充分ではなかった。
【００１２】
一方、上述した如きコイン受け皿に内部光源からの光を照射可能とした構造は、その様な構造を有しない遊技機に比べて構造が複雑となり、部品点数が増加してしまう。そのため、コスト削減という考えに逆行してしまうこととなる。
【００１３】
本発明は上記の如き課題に鑑みてなされたものであり、部品点数を削減しつつ化粧パネルの強度を維持し、破損防止性を高めるとともに、コイン受け皿の照射も可能とした遊技機を提供することを目的とする。
【００１４】
【課題を解決するための手段】
以上のような目的を達成するために、本発明の遊技機は、遊技機正面に設置された化粧パネルの強度の補強と、コイン受け皿の照射を同時に可能とした遊技機を提供する。
【００１５】
より具体的には、本発明は、以下のものを提供する。
【００１６】
筐体と、前記筐体の前面開口部に開閉自在に設けられた扉体と、からなり、前記扉体は、前記扉体下部に設けられた、前面部が開口された筐体状の光源設置部と、前期光源設置部に設置された光源と、前記光源設置部の開口部に設置され、且つ、前記光源から発せられる光が透過されることにより前記筐体の装飾をなす化粧パネルと、前記光源設置部の開口部に設置され、且つ、前記光源から発せられる光が透過されることにより前記扉体開口部の下部に設置されたコイン受け皿を照らすための透光パネルと、を備える遊技機であって、前記化粧パネルと前記透光パネルとは、一体的に形成された断面Ｌ字状の１個の部材からなることを特徴とする遊技機。
【００１７】
上述した発明によれば、化粧パネルと、化粧パネル用光源の光をコイン受け皿に照射させるための透光パネルとを有する遊技機において、「前記化粧パネルと前記透光パネルとは、一体的に形成された断面Ｌ字状の１個の部材からなる」ように構成することにより、コイン受け皿を照射するために設けられた当該透光パネルが当該化粧パネルに対する支持部材として機能することが可能となり、或いは、当該部材が前面方向に凸となる一体形状をなすことにより、外圧に対する強度が増すことが期待できる。
【００１８】
遊技機における化粧パネルは、比較的照明の暗い遊技場であっても充分に視認可能とするように、透光性のパネルを用い、その背後に設けられた光源に照らされることによって、当該パネル上のデザインを明るく表示されるように構成されている。
【００１９】
しかし、そのためには化粧パネルの背後に光源が設置された中空部を有すこととなるので、当該化粧パネルはその外周部においてのみ支持されていた。そのため、当該遊技機を搬出入する際に当該化粧パネルに外圧がかかった場合や、遊技者が遊技に熱中するあまり当該化粧パネルを殴打又は押圧してしまった場合には、当該外周部における支持のみでは当該外圧等の圧力を受け止めることができず、当該化粧パネルが破損してしまうおそれがあった。
【００２０】
また、近年の遊技機の廃棄によるゴミの問題から各メーカともリサイクル対策を講じるべく思考錯誤が行われており、遊技機でも特にスロットマシンにおいては、液晶や電飾などの様々な機能部材を使用することによって、メーカごとのスロットマシンの差別化を行うものの、筐体自体のタイプが同じであって、構造の共通する部分については極力再利用することが考慮されている。
【００２１】
同時に、遊技機を構成する部品を削減することも、再利用できない部分の廃棄される量の削減や、再利用時の解体及び組み付けにおける利便性から、考慮されている。
【００２２】
そこで、本発明のように、遊技機の化粧パネルと透光パネルとを、「一体的に形成された断面Ｌ字状の１個の部材からなる」ように構成することにより、コイン受け皿を照射するために設けられた当該透光パネルが当該化粧パネルに対する支持部材として機能することが可能となり、或いは、当該部材が前面方向に凸となる一体形状をなすことにより、外圧に対する強度が増すことが期待できるのである。
【００２３】
また、２つのパネルの接合に係る部品、手間などが低減されるため、製造時や、リサイクル時におけるコストダウンを図ることも可能となるのである。
【００２４】
更に、当該部材の当該透光パネル部分が支持部材の役割を果たすことによって、化粧パネル部の下部裏面に紫綬部材を配置しなくともパネル強度を維持することが可能となるので、当該両パネルの境目となる部分で内部光源からの光を遮ることなく化粧パネルによる装飾とコイン受け皿を照らす照明とを一体化させることができ、装飾効果の向上が図れるのである。つまり、従来のように前記化粧パネルと透光パネルとのつなぎ部分や前記両パネルの支持部材が光を遮ることがあったが、本発明によれば光を遮ることが解消できるのである。
【００２５】
【発明の実施の形態】
以下に、本発明の好適な実施形態について図面に基づいて説明する。
【００２６】
［遊技機の構成］
尚、以下において説明する実施形態においては、本発明に係る遊技機に好適な実施形態として、本発明をスロットマシンに適用した場合について説明する。尚、後述する実施形態では、スロットマシン１０を例にとって説明するが、本発明はこれに限らず、パチンコ遊技機や雀球遊技機等の弾球遊技機、メダル遊技機その他の遊技機にも適用することが可能である。
【００２７】
本発明の一実施形態であるスロットマシン１０の概観を示す斜視図を図１に示す。
【００２８】
スロットマシン１０は、図１に示す如く、本体筐体１２と、前面扉体１４と、を備えている。尚、この「本体筐体」は、請求項中の「筐体」に相当し、「前面扉体」は、請求項中の「扉体」に相当する。
【００２９】
この本体筐体１２は、遊技場の所定の場所に固設され、本体筐体１２の内部には、遊技者を臨む位置に回動可能に配置された複数個（例えば、３個）のリールを備えたリール装置や、スロットマシン１０を電気的に制御するための制御装置（いずれも図示せず）が設けられている。メダル、及びメダルの投入などを制御するための部材を収容するものでもある。
【００３０】
また、前面扉体１４は、本体筐体１２の前面凹部（図示せず）を開閉可能なように、その右側辺部を開放端側とするとともに、その左側辺部を回動軸端側として、本体筐体１２に支持されている。詳しくは図２を用いて説明するが、この前面扉体１４は、メインドアフレーム１６と、このメインドアフレーム１６に取り付けられた各種の機能部材ユニットとを備えてなる。
【００３１】
［前面筐体の構成］
図２は、前面扉体１４の構成を示す分解斜視図である。図２に示すように前面扉体１４は、本体筐体１２（図１参照）の前面凹部を覆う大きさを有するメインドアフレーム１６と、上述の機能部材ユニットとして、上部ユニット２０、操作部ユニット３０、下部ユニット４０、左右２つのサイドランプユニット５０（５０Ｌ及び５０Ｒ）、リールパネルユニット６０（図１参照）、腰部ユニット７０（図１参照）の、大きく分けて７個の機能部材ユニットを備えている。
【００３２】
このメインドアフレーム１６は、図２に示す如く、短形状の枠部１７と、この枠部１７の左側辺部１７Ｌと右側辺部１７Ｒとを、それぞれ連結する３個の連結部１８（１８Ａから１８Ｃ）とを備え、上部ユニット取付領域１９Ａ、リールパネルユニット取付領域１９Ｂ、操作部ユニット取付領域１９Ｃ、腰部ユニット取付領域１９Ｄ、下部ユニット取付領域１９Ｅの計５個のユニット取付領域に、上下方向に区分されている。
【００３３】
この上部ユニット２０は、上部ユニット基部２１、左右一対のスピーカ（図示せず）、スピーカカバー２２（２２Ｌ及び２２Ｒ）、画像表示装置（図示せず）、表示窓２３、装飾用ＬＥＤ、レンズカバー、ＬＥＤ用基板、液晶パネル、コネクタ（いずれも図示せず）等の各種複数個の機能部材をユニット化してなり、メインドアフレーム１６の上部ユニット取付領域１９Ａに、四隅をビス止めされて取り付けられる。
【００３４】
操作部ユニット３０は、操作部ユニット基部３１、遊技情報を表示するための画像表示装置（図示せず）、表示窓３２、メダル投入口、遊技メダルの投入を条件として上記リール装置の各リールの回転を開始させるためのスタートレバー（図示せず）、各リールに個別に対応して各リールの回転を停止させるための３個のストップスイッチ３５（３５Ｌ、３５Ｃ及び３５Ｒ）、その他の操作スイッチ、コネクタ（図示せず）等の各種複数個の機能部材をユニット化してなり、メインドアフレーム１６の操作部ユニット取付領域１９Ｃに、四隅をビス止めされて取り付けられる。
【００３５】
下部ユニット４０は、メダルトレイ４１を備え、メインドアフレーム１６の下部ユニット取付領域１９Ｅに取り付けられる。尚、上述した、上部ユニット取付領域１９Ａ及び操作部ユニット取付領域１９Ｃは、前後方向がともに開放されているのに対して、下部ユニット取付領域１９Ｅの壁部の略中央にはメダル排出口１５が形成されており、このメダル排出口１５の後部には、メダルホッパ（図示せず）に遊技メダルを導くためのキャンセルシュート（図示せず）が取り付けられている。
【００３６】
サイドランプユニット５０は、サイドレンズカバー５１、そのサイドレンズカバー５１に内蔵されたＬＥＤユニット、ＬＥＤ用基板、コネクタ（ともに図示せず）、装飾用レンズ１００（１００Ａから１００Ｃ）等の各種複数個の機能部材をそれぞれユニット化してなる。これらサイドランプユニット５０は、上述した如く、メインドアフレーム１６に取り付けられた、上部ユニット２０、操作部ユニット３０、下部ユニット４０、リールパネルユニット６０、腰部ユニット７０の各機能部材ユニットを左右両方向から挟むように、メインドアフレーム１６の枠部１７に取り付けるものである。
【００３７】
リールパネルユニット６０は、リールパネル（図示せず）を備え、メインドアフレーム１６のリールパネルユニット取付領域１９Ｂに取り付けられるものである。
【００３８】
上述した腰部ユニット７０は、腰部ユニット取付領域１９Ｄに取り付けられるものであるが、上述した上部ユニット取付領域１９Ａ、リールパネルユニット取付領域１９Ｂ、及び、操作部ユニット取付領域１９Ｃは、前後方向がともに開放されているのに対して、腰部ユニット取付領域１９Ｄは、前方が開放されている筐体状となって形成されおり、この筐体内は、筐体の前面凹部を覆うように取り付けられる化粧用の腰部パネルを照射するための蛍光灯等の光源を収納する光源収納部として構成されている。
【００３９】
また、腰部ユニット７０は、詳しくは図３を用いて説明するが、化粧用の腰部パネル７１（図１参照）（以下単に化粧パネル７１と称する）から構成され、腰部ユニット取付領域１９Ｄに取り付けられるものである。また、この腰部ユニット７０には、導光孔８８（図３参照）が形成されており、上述した下部ユニット４０を照射することとなる。また、この腰部ユニット取付領域１９Ｄには、この化粧パネル７１を背部から照射するための蛍光灯８４が備えられている。
【００４０】
上述した各機能部材ユニットは、メインドアフレーム１６のそれぞれ対応する各取付領域１９に対して着脱可能に構成されている。したがって機能部材の一部に何らかの不具合が生じた場合には、その機能部材を有する機能部材ユニットのみを交換することにより、速やかに機能復帰を実現することが可能となる。交換のため取り外した機能部材ユニットは、工場等において部品交換等の修理を行うことにより再利用することが可能であり、資源の有効利用を図ることが可能となっている。
【００４１】
また、機種変更に際しても、機能部材ユニットの全部を交換する方法以外に、それらの一部のみを交換する方法により対処することが可能であり、機種変更の態様の多様化および費用低減化を図ることが可能となっている。さらに、メインドアフレーム１６を全機種あるいは複数機種間において共通化すれば、各機能部材ユニットの交換、再利用がより行い易くなり、資源の有効利用をより推進することが可能となるとともに、部品の共通化により製造コストを低減することも可能となる。
【００４２】
［腰部ユニットの構成］
図３は、図２に示したメインドアフレーム１６に形成された腰部ユニット取付領域１９Ｄの概略を示す拡大斜視図である。また、図４は、腰部ユニット取付領域１９Ｄの概略を示す拡大正面図であり、図５は、腰部ユニット取付領域１９Ｄの概略を示す側面断面図である。尚、図３及び図４は、化粧パネル７１を設置しない状態を示す。
【００４３】
腰部ユニット取付領域１９Ｄは、メインドアフレーム１６を構成する、連結部１８Ｃと、この連結部１８Ｃの左側辺部１７Ｌと、右側辺部１７Ｒと、略中央にメダル排出口１５を有する下部ユニット取付領域１９Ｅの壁部と、に囲まれた領域として形成されている。
【００４４】
上述した如く、図２に示したメインドアフレーム１６に形成された腰部ユニット取付領域１９Ｄは、上部ユニット取付領域１９Ａ、リールパネルユニット取付領域１９Ｂ、操作部ユニット取付領域１９Ｃが前後方向に開放されているのに対して、前方が開放され、かつ、後方が開放されていない筐体状となっており、光源収納部の前方凹部を覆うように取り付けられる化粧パネル７１を照射するための光源を収納するための光源収納部としてメインドアフレーム１６と一体に形成されている。尚、この「光源収納部」は、請求項中の「光源設置部」に相当する。
【００４５】
また、光源収納部には、図３及び図５に示す如く、その底面に導光孔８８が形成されており、その導光孔８８の下方に形成されたメダル排出口１５の近傍を照射することとなる。
【００４６】
更にまた、図３から図５に示す如く、この光源収納部には、蛍光灯８４が、光源収納部内の上下方向、左右方向、前後方向において、略中央に位置するように、光源収納部内の後部壁面８６に取り付けられている。また、光源収納部内の上下壁面、左右壁面、後部壁面の５つの壁面は、各々、蛍光灯８４から照射される光を反射させるための反射体で形成されている。尚、「蛍光灯」は、請求項に記載された「光源」に相当する。
【００４７】
この反射体は、鏡面仕上げを施した金属板や反射シート等で形成されており、蛍光灯８４から照射された光は、この反射体により反射を繰り返し、光を減衰させることなく、前方に取り付けられた化粧パネル７１を照射することができる。
【００４８】
尚、本実施形態では、光源として蛍光灯８４を単体で用いることとしたが、本発明はこれに限らず、複数の蛍光灯８４を光源として用いることとしてもよい。また、本実施形態では、光源として蛍光灯８４を利用したが、これに限るものではなく、ＬＥＤ、ランプ、ＥＬ、あるいは冷陰極管等を光源として用いてもよい。
【００４９】
化粧パネル７１は、図３に示す如く、前面７１ａと、底面７１ｂと、から構成されたものであり、その縦断面が、Ｌ字形状に形成されている。また、化粧パネル７１は、その前面７１ａに対して、底面７１ｂが略直角に設けられている。
【００５０】
また、光源収納部の上方内壁には、突出部９０が形成されており、光源収納部の下方内壁には、突出部９１が形成されている。この突出部９０は、上述した化粧パネル７１を前方から光源収納部に収納した場合には、化粧パネル７１の底面７１ｂの縁端７１ｃが当面するように設けられている。また、突出部９１は、上述した化粧パネル７１を前方から光源収納部に収納した場合には、化粧パネル７１の底面７１ｂの縁端７１ｃの背面が当面するように設けられている。
【００５１】
尚、本実施形態では、突出部９０及び９１が光源収納部であるメインドアフレーム１６と一体に形成されたが、本発明はこれに限らず、メインドアフレーム１６とは別に設けられた部材であっても問題ない。
【００５２】
化粧パネル７１は、その前面７１ａの幅方向の長さは、光源収納部の幅の長さと略同じである。また、前面７１ａの縦方向の長さは、光源収納部の縦方向の長さと略同じである。このため、化粧パネル７１の両側面は、上述した光源収納部に収納される場合には、光源収納部の左右壁面に接するように設置され、更には、化粧パネル７１の底面７１ｂは、光源収納部の下方内壁に面接触されることとなる。尚、化粧パネル７１における前面７１ａは、請求項中の「化粧パネル」に相当し、底面７１ｂは、請求項中の「透光パネル」に相当する。
【００５３】
この化粧パネル７１が嵌め込まれることにより腰部ユニット７０のメインドアフレーム１６に形成された腰部ユニット取付領域１９Ｄへの取り付けが終了する。
【００５４】
また、上述した如く、サイドランプユニット５０が、この腰部ユニット７０を含む各機能部材ユニットを左右両方向から挟むように、メインドアフレーム１６の左側辺部１７Ｌおよび右側辺部１７Ｒにそれぞれ取り付けられることにより、上述した化粧パネル７１は、光源収納部の前面開口部の内枠に固着されることとなる。
【００５５】
この化粧パネル７１は、図５に示す如く、光源収納部の前面凹部を覆うように前面凹部の内枠に面接触するように嵌め込まれる。
【００５６】
この化粧パネル７１が嵌め込まれることにより腰部ユニット７０のメインドアフレーム１６に形成された腰部ユニット取付領域１９Ｄへの取り付けが終了する。
【００５７】
また、上述した如く、サイドランプユニット５０が、この腰部ユニット７０を含む各機能部材ユニットを左右両方向から挟むように、メインドアフレーム１６の左側辺部１７Ｌおよび右側辺部１７Ｒにそれぞれ取り付けられることにより、上述した化粧パネル７１は、光源収納部の前面開口部の内枠に固着されることとなる。
【００５８】
化粧パネル７１は、その前面７１ａには、スロットマシン１０の機種名や製造元名等の固定情報を照明表示させる装飾効果を有する。このため、できるだけ広い面積を蛍光灯８４により背面から照射されることが好ましいが、化粧パネル７１の底面７１ｂ以外にも、別途支持部材を設けてもよく、この場合には、支持部材を、透光性を有する物質で形成することが好ましい。
【００５９】
更には、化粧パネル７１は、その底面７１ｂの下方には、導光孔８８が形成されているため、有色であり、透光性の材質、加工が成されている。例えば、メダル排出口１５を青色に照射する場合には、導光孔８８と当面する底面７１ｂの箇所を、透光性を有する青色の材質、加工を施すこととなる。
【００６０】
このように、遊技機の化粧パネルと透光パネルとを、「一体的に形成された断面Ｌ字状の１個の部材からなる」ように構成することにより、当該透光パネルが当該化粧パネルの支持部材を兼用するとともに、当該部材が前面方向に凸となる一体形状をなすことで、外圧に対する強度が増すことが期待できるのである。
【００６１】
また、２つのパネルの接合に係る部品、手間などが低減されるため、製造時や、リサイクル時におけるコストダウンを図ることも可能となるのである。
【００６２】
更に、当該パネルの当該透光パネル部分が支持部材の役割を果たすことによって、化粧パネル部の下部裏面に紫綬部材を配置しなくともパネル強度を維持することが可能となるので、当該部分で内部光源からの光を遮ることなく化粧パネルによる装飾とコイン受け皿を照らす照明とを一体化させることができ、装飾効果の向上が図れるのである。
【００６３】
以上、本発明の一実施形態を説明したが、本発明は上記実施形態に限られるものではなく、種々の態様変更を行うことが可能である。
【００６４】
例えば、上述した実施形態における化粧パネル７１では、縦断面がＬ字形状としたが、本発明はこれに限らず、縦断面がＬ字形状でなくとも、図６に示す如く、Ｌ字形状を含む形状であればよく、縦断面がコ字形状の化粧パネル７２であってもよい。また、この発明によれば、少なくとも縦断面が略Ｌ字形状を含む形状であればよく、箱型の化粧パネルであってもよい。この場合には、Ｌ字形状を成す部分は一体的に設けられておればよく、特別一枚のパネルを折り曲げて形成するものでなくともよいが、一枚のパネルを折り曲げて形成もののほうが、強度が強まるため好ましい。
【００６５】
また、上述した実施形態においては、突出部９０及び９１を光源収納部の内壁に形成したが、本発明はこれに限らず、突出部９０のみを形成し、Ｌ字形状の化粧パネルを収納するようにしてもよい。この場合には、化粧パネル７３は、図７に示す如く、その底面７３ｂの前後方向の長さと、光源収納部の前後方向の長さと、が略同じ長さとすると好ましい。
【００６６】
このように構成することにより、化粧パネル７３は、上述した光源収納部に収納される場合には、その底面７３ｂの縁端７３ｃが、光源収納部の後部壁面８６と当接することとなる。このように化粧パネル７１は、光源収納部の前面凹部を覆うように前面凹部の内枠に面接触するように嵌め込まれるのである。
【００６７】
また、上述した実施形態においては、化粧パネル７１を支持する底面を備え、その底面に導光孔８８を形成した光源収納部であったが、本発明はこれに限らず、図８に示す如く、光源収納部の底面を設けることなく、Ｌ字形状の化粧パネル７１を支えるための別部材（図示せず）を備えるものであってもよい。
【００６８】
更には、上述した実施形態においては、リール装置が本体筐体側に配されているが、リール装置をリールパネルユニットに組み込むようにしてもよい。
【００６９】
更にまた、上述した実施形態では、メインドアフレーム１６において枠部の左右の側辺部を連結する連結部を設けているが、各操作部ユニット取付領域の区分が可能であり、メインドアフレームの剛性を確保し得る場合には、連結部を設けなくてもよい。
【００７０】
更にまた、機能部材ユニットに、履歴データを記憶する記憶手段を設けるようにしてもよい。例えば、上述した実施形態において、上部ユニット２０、操作部ユニット３０、下部ユニット４０、サイドランプユニット５０、リールパネルユニット６０、腰部ユニット７０の各々に固有のＩＤが付与されたＩＣチップを搭載させ、ユニットごとに製造年月日や出荷履歴等の履歴データを更新可能なように記憶させることにしてもよい。
【００７１】
これにより、各ユニットの疲弊度等を一括管理することが可能となり、例えば、ユニットをリユースする場合、耐用年数と比較して、ユニットごとに回収時期を判断することができる。また、市場に出回っている状態において、不正なユニットに交換されてしまったとしても、上記のＩＣチップを参照することによって、即座に発見することができる。
【００７２】
【発明の効果】
本発明によれば、化粧パネルと、化粧パネル用光源の光をコイン受け皿に照射させるための透光パネルとを有する遊技機において、「前記化粧パネルと前記透光パネルとは、一体的に形成された断面Ｌ字状の１個の部材からなる」ように構成することにより、コイン受け皿を照射するために設けられた当該透光パネルが当該化粧パネルに対する支持部材として機能することが可能となり、或いは、当該部材が前面方向に凸となる一体形状をなすことにより、外圧に対する強度が増すことが期待できる。
【図面の簡単な説明】
【図１】本発明によるスロットマシンの概観を示す斜視図である。
【図２】本発明によるスロットマシンの要部の概観を示す斜視図である。
【図３】本発明によるスロットマシンの要部の概観を示す斜視図である。
【図４】本発明によるスロットマシンの要部の概観を示す正面図である。
【図５】本発明によるスロットマシンの要部の概観を示す断面図である。
【図６】本発明によるスロットマシンの要部の概観を示す断面図である。
【図７】本発明によるスロットマシンの要部の概観を示す断面図である。
【図８】本発明によるスロットマシンの要部の概観を示す斜視図である。
【符号の説明】
１０　スロットマシン
１２　本体筐体
１４　前面扉体
１６　メインドアフレーム
１７　枠部
１９　取付領域
２０　上部ユニット
３０　操作部ユニット
４０　下部ユニット
５０　サイドランプユニット
６０　リールパネルユニット
７０　腰部ユニット
７１　腰部パネル
８４　蛍光灯
８６　後部壁面
８８　導光孔
９０、９１　突出部
【図１】
2004024448.tif 000003
【図２】
2004024448.tif 000004
【図３】
2004024448.tif 000005
【図４】
2004024448.tif 000006
【図５】
2004024448.tif 000007
【図６】
2004024448.tif 000008
【図７】
2004024448.tif 000009
【図８】
2004024448.tif 000010